【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
移動下地のフローコーティング方法であって、前記下地を、動的湿潤ラインにおいて１種又はそれ以上の液体コーティング材料を前記下地と衝突する自由落下カーテンの形態で供給するホッパー手段の下側を移動させ；エッジガイド要素を用いて、コーティングカーテンの幅を安定化させ且つコーティングカーテンの流速を等しくし、更にエッジガイド要素の上における凝固を防ぎながら、補助液を乱れなく供給すると共に補助液を実質上完全に除去する移動下地のフローコーティング方法。
【請求項２】
移動下地のフローコーティング方法であって、前記下地を、動的湿潤ラインにおいて１種又はそれ以上の液体コーティング材料を前記下地と衝突する自由落下カーテンの形態で供給するホッパー手段の下側を移動させ；エッジガイド要素を用いて、コーティングフィルムのエッジにおいてコーティングフィルムの流れ方向に本質的に平行に補助液を注入すると同時に、ホッパー手段のホッパースライドに沿ってコーティングフィルムを移動させる方法。
【請求項３】
コーティング流体層に対してコーティングフィルムのエッジ領域に前記補助液を注入する請求項２に記載の方法。
【請求項４】
各コーティング流体層に対してコーティングフィルムのエッジ領域に前記補助液を注入する請求項３に記載の方法。
【請求項５】
水又は水性組成物を補助液として用いる請求項２に記載の方法。
【請求項６】
前記補助液が表面張力を増加させる薬剤及び／又はＫＣｌ（塩化カリウム）を含む請求項５に記載の方法。
【請求項７】
水又は水性組成物に湿潤剤及び／又は増粘剤を含む補助剤を添加する請求項５に記載の方法。
【請求項８】
前記補助液が、下地をコーティングするためのスライド上のコーティングフィルムの対応する液体層の液とほぼ同じであるが、固体成分がそれより少ないか全く含まない請求項２に記載の方法。
【請求項９】
前記補助液がコーティングフィルムの各液体層に対して０．１〜０．７リットル／時の注入フローを有する請求項２に記載の方法。
【請求項１０】
前記補助液が、注入される補助液の全体について、０．５〜３リットル／時の注入フローを有する請求項２に記載の方法。
【請求項１１】
補助液の注入速度がスライドに沿ったコーティングフィルムの速度に可能な限り近い請求項２に記載の方法。
【請求項１２】
移動下地のフローコーティング装置であって、動的湿潤ラインにおいて１種又はそれ以上の液体コーティング材料を前記下地と衝突する自由落下カーテンの形態で供給するホッパー手段並びにコーティングフィルムの方向に向いたその面の少なくとも１つの接触域を有するホッパースライド手段のスライドに沿って配置されたエッジガイド要素を具備し、前記接触域が１個又はそれ以上の補助液注入口を有するフローコーティング装置。
【請求項１３】
前記注入口が補助液がエッジガイド要素に本質的に平行な方向で出口チャンネルから出るような形状を前記エッジガイド要素に対して有する出口チャンネルに接続された請求項１２に記載の装置。
【請求項１４】
各エッジガイド要素に多数の注入口が設けられた請求項１２に記載の装置。
【請求項１５】
コーティングフィルムの各液体層に対して少なくとも１つの注入口が配置された請求項１４に記載の装置。
【請求項１６】
多数の注入口がホッパースライド表面から種々の距離で配列された請求項１４に記載の装置。
【請求項１７】
前記注入口がコーティングホッパー手段のスライド上へのコーティング液供給用の各ホッパースロットから短い距離又は間隔で配列された請求項１４に記載の装置。
【請求項１８】
前記距離又は間隔が、補助液のための、供給スロットの最も外側のエッジガイドとエッジガイト要素との間のスライドに設けられた請求項１７に記載の装置。
【請求項１９】
各エッジガイド要素がコーティングフィルムの方向に向いたその表面の少なくとも１つの接触域を含み、前記接触域が１つ又はそれ以上の補助液注入口を有する請求項１２に記載の装置。
【請求項２０】
前記出口チャンネルが０．５〜２．５ｍｍ2の断面積を有する請求項１３に記載の装置。
【請求項２１】
前記注入口がコーティング液又はフィルムの供給用のホッパースロットに近接して配置された請求項１２に記載の装置。
【手続補正２】
【補正対象書類名】明細書
【補正対象項目名】００４７
【補正方法】変更
【補正の内容】
【００４７】
本発明を好ましい実施例に関して説明してきたが、本発明はこの開示の精神及び範囲内で更に変更を加えることができる。従って、本発明は、本発明の一般原則を用いた本発明の変形、使用、又は応用を全て網羅するものとする。更に、本発明は、本発明に関する「特許請求の範囲」の範囲に含まれる、本発明が関連する技術分野における周知の又は従来通りのやり方の範囲内の、本発明の開示からの逸脱も網羅するものとする。
以下に本発明の態様を記載する。
１．移動下地のフローコーティング方法、特に連続紙ウェブ下地の高速フローコーティング方法であって、前記下地を、動的湿潤ラインにおいて１種又はそれ以上の液体コーティング材料を前記下地と衝突する自由落下カーテンの形態で供給するホッパー手段の下側を移動させ；エッジガイド要素を用いて、コーティングカーテンの幅を安定化させ且つコーティングカーテンの流速を等しくし、更にエッジガイド要素の上における凝固を防ぎながら、補助液を乱れなく供給すると共に補助液を実質上完全に除去する移動下地のフローコーティング方法。
２．移動下地のフローコーティング方法、特に連続紙ウェブ下地の高速フローコーティング方法であって、前記下地を、動的湿潤ラインにおいて１種又はそれ以上の液体コーティング材料を前記下地と衝突する自由落下カーテンの形態で供給するホッパー手段の下側を移動させ；エッジガイド要素を用いて、コーティングフィルムのエッジにおいてコーティングフィルムの流れ方向に本質的に平行に補助液を注入すると同時に、ホッパー手段のホッパースライドに沿ってコーティングフィルムを移動させる方法。
３．コーティング流体層に対してコーティングフィルムのエッジ領域に前記補助液を注入する態様２に記載の方法。
４．各コーティング流体層に対してコーティングフィルムのエッジ領域に前記補助液を注入する態様３に記載の方法。
５．好ましくは表面張力を増加させる薬剤及び／又はＫＣｌ（塩化カリウム）若しくは同様な塩を含む水又は水性組成物を補助液として用いる態様２に記載の方法。
６．水又は水性組成物に湿潤剤及び／又は増粘剤を含む補助剤を添加する態様５に記載の方法。
７．前記補助液が、下地をコーティングするためのスライド上のコーティングフィルムの対応する液体層の液とほぼ同じであるが、固体成分がそれより少ないか全く含まない態様２に記載の方法。
８．前記補助液がコーティングフィルムの各液体層に対して約０．１〜０．７リットル／時の注入フローを有する態様２に記載の方法。
９．前記補助液が、注入される補助液の全体について、約０．５〜３リットル／時の注入フローを有する態様２に記載の方法。
１０．補助液の注入速度がスライドに沿ったコーティングフィルムの速度に可能な限り近い態様２に記載の方法。
１１．移動下地のフローコーティング装置、特に連続紙ウェブ下地の高速フローコーティング装置であって、動的湿潤ラインにおいて１種又はそれ以上の液体コーティング材料を前記下地と衝突する自由落下カーテンの形態で供給するホッパー手段並びにコーティングフィルムの方向に向いたその面の少なくとも１つの接触域を有するホッパースライド手段のスライドに沿って配置されたエッジガイド要素を具備し、前記接触域が１個又はそれ以上の補助液注入口を有するフローコーティング装置。
１２．前記注入口が補助液がエッジガイド要素に本質的に平行な方向で出口チャンネルから出るような形状を前記エッジガイド要素に対して有する出口チャンネルに接続された態様１1に記載の装置。
１３．各エッジガイド要素に多数の注入口が設けられた態様１１に記載の装置。
１４．コーティングフィルムの各液体層に対して少なくとも１つの注入口が配置された態様１３に記載の装置。
１５．多数の注入口がホッパースライド表面から種々の距離で配列された態様１３に記載の装置。
１６．前記注入口がコーティングホッパー手段のスライド上へのコーティング液供給用の各ホッパースロットから短い距離又は間隔で配列された態様１３に記載の装置。
１７．前記距離又は間隔が、補助液のための、供給スロットの最も外側のエッジガイドとエッジガイト要素との間のスライドに設けられた態様１６に記載の装置。
１８．各エッジガイド要素がコーティングフィルムの方向に向いたその表面の少なくとも１つの接触域を含み、前記接触域が１つ又はそれ以上の補助液注入口を有する態様１１に記載の装置。
１９．前記出口チャンネルが約０．５〜２．５ｍｍ2、好ましくは１．５ｍｍ2の断面積を有する態様１２に記載の装置。
２０．前記注入口がコーティング液又はフィルムの供給用のホッパースロットに近接して配置された態様１１に記載の装置。